(57)【要約】【課題】掃除機本体の容積や重量増を抑えた電気掃除機を提供する。【解決手段】ゼンマイバネ１３で電源コード１０を巻き取る機能を有すると共に掃除機本体（図示せず）に引出して着脱自在の電源コードリール７を備え、前記電源コードリール７の引出し方向に、引出すときにつかむ取っ手８と前記電源コード１０の電源プラグ９を配し、前記引き出し方向を、前記電源コード１０の引っ張り（引出し）方向に対し、１５〜９０度の範囲で前方に傾斜させたもので、電源コードリール７の掃除機本体からの着脱が容易で、掃除機本体の重量減を実現することが出来る。また、取っ手８が電源プラグ９の保護壁を兼ね備えることになるので、電源コード１０の収納時には電源プラグ９を保護し、電源コード１０の巻き取り時には、電源プラグ９が暴れるのを防止し、掃除機本体が破損したり、使用者が怪我することがない。【選択図】図４
2014100275.tif 000002
【特許請求の範囲】
【請求項１】
ゼンマイバネなどの回転力を発生する動力源で電源コードを巻き取る機能を有すると共に掃除機本体に引出して着脱自在の電源コードリールを備え、前記電源コードリールの引出し方向に、引出すときにつかむ取っ手と前記電源コードの電源プラグを配し、前記引き出し方向を、前記電源コードの引っ張り（引出し）方向に対し、１５〜９０度の範囲で前方に傾斜させた電気掃除機。
【請求項２】
電源コードリールの引出し方向に、平行なフラット面を設けた請求項１に記載の電気掃除機。
【請求項３】
電源コードリールを掃除機本体に装着した状態で、取っ手を電源プラグの近傍の前記掃除機本体の外側になるよう配置した請求項１又は２に記載の電気掃除機。
【発明の詳細な説明】
【技術分野】
【０００１】
本発明は、電気掃除機に関するものである。
【背景技術】
【０００２】
従来の電気掃除機においては、電気掃除機の使い勝手を向上させるべく、交流電源及び直流電源の両方で動作可能な電気掃除機が提案されている（例えば、特許文献１参照）。
【０００３】
すなわち、従来の電気掃除機２００は、吸引風を発生させる電動送風機２０１を内蔵する掃除機本体２０２と、被清掃面の塵埃を吸引する吸込具２０３と、一端が吸込具２０３に接続される延長管２０４と、一端が延長管２０４に接続され、他端が掃除機本体２０２に接続されるホース２０５と、から構成されている。また、掃除機本体２０２には、商用電源に接続される電源コード２０６を有するコードリール２０７と、電動送風機２０１に電源を供給する蓄電池２０８と、が内蔵されている。
【０００４】
そして、従来の電気掃除機２００においては、電源コード２０６が商用電源に接続されている場合は、電動送風機２０１の電源として商用電源を使用し、電気掃除機２００を動作させるとともに、電源コード２０６が商用電源に接続されていない場合には、電動送風機２０１の電源として蓄電池２０８を使用し、電気掃除機２００を動作させるように構成されている。
【先行技術文献】
【特許文献】
【０００５】
【特許文献１】特開２０１２−５５５３３号公報
【発明の概要】
【発明が解決しようとする課題】
【０００６】
しかしながら、上記従来の電気掃除機においては、電気掃除機の使い勝手を向上させるという観点からは未だ改善の余地があった。
【０００７】
一般的に、高い吸込み仕事率の電気掃除機などにおいては、許容電流値の大きな太い電源コードを約５ｍ有する仕様であるため、掃除機本体の容積や重量に占める電源コードの比率が大きくなっている。そのため、上記従来の電気掃除機のように、電源コード及び蓄電池の両方を掃除機本体に内蔵した構成では、掃除機本体の重量が増加してしまい、掃除機本体の移動時や収納時など、使用者が掃除機本体を持ち上げて移動させる際に、掃除機本体の重量が重く、扱い難くなってしまう場合があった。
【０００８】
本発明は、上記従来技術の有する課題に鑑みてなされたものであり、電源コードの保護や使い勝手を維持したまま、不要時には電源コードリールを外すことができ、掃除機本体の容積や重量増を抑えた電気掃除機を提供することを目的とする。
【課題を解決するための手段】
【０００９】
上記従来技術の有する課題を解決するために、本発明の電気掃除機は、ゼンマイバネなどの回転力を発生する動力源で電源コードを巻き取る機能を有すると共に掃除機本体に引出して着脱自在の電源コードリールを備え、前記電源コードリールの引出し方向に、引出すときにつかむ取っ手と前記電源コードの電源プラグを配し、前記引き出し方向を、前記電源コードの引っ張り（引出し）方向に対し、１５〜９０度の範囲で前方に傾斜させたもので、電源コードリールに取っ手を追加して着脱式として、不要時に取っ手を掴んで掃除
機本体から容易に外し、掃除機本体の重量減を実現することが出来る。また、その取っ手が電源プラグの保護壁を兼ね備える位置に配置されているので、収納時には電源プラグを保護し、電源コードの巻き取り時には、電源プラグが暴れて掃除機本体を破損したり、使用者が怪我などしないように、電源コードを誘導する保護壁の作用や使い勝手を維持したまま、従来の電気掃除機と比較しても、特に大型化することなく省スペースで、着脱式の電源コードリールを備えた電気掃除機を提供できる。
【００１０】
また引出し着脱式なので、引出し方向以外は掃除機本体に囲まれており、電気掃除機特有の掃除引回しによる振動や、外的衝撃があっても、電源コードリール内の電気接点の接触が安定して確保され、露出部が少なく、色々なデザインにも対応しやすい。
【００１１】
また、電源コードリールの引き出し方向が、電源コードの引っ張り方向に対して前方に傾斜しているので、電源コードを引っ張っても、引き出し方向と平行な面が力を受け、局部的集中荷重を回避することができる。
【発明の効果】
【００１２】
本発明の電気掃除機は、電源コードリールを着脱式としている為、不要時に取っ手を持って掃除機本体から容易に外せると共に、掃除機本体の重量減を実現したり、使用者に適した長さの電源コードを選択したりする構成を提案できる上に、装着時の電源コードの使い勝手を維持したまま、容積や重量増を抑え利便性に優れた電気掃除機を提供することができる。
【図面の簡単な説明】
【００１３】
【図１】本発明の実施の形態１における電気掃除機の全体斜視図
【図２】同電気掃除機の後方からの主要部斜視図
【図３】同電気掃除機の着脱式の電源コードリールの後方からの斜視図
【図４】同電源コードリールの部分断面図
【図５】同電気掃除機の他の例を示す電池パックの後方斜視図
【図６】同電気掃除機の他の例を示す電源コードリールの後方からの斜視図
【図７】従来の電気掃除機の後方からの主要部斜視図
【発明を実施するための形態】
【００１４】
第１の発明は、ゼンマイバネなどの回転力を発生する動力源で電源コードを巻き取る機能を有すると共に掃除機本体に引出して着脱自在の電源コードリールを備え、前記電源コードリールの引出し方向に、引出すときにつかむ取っ手と前記電源コードの電源プラグを配し、前記引き出し方向を、前記電源コードの引っ張り（引出し）方向に対し、１５〜９０度の範囲で前方に傾斜させたもので、電源コードリールに取っ手を追加して着脱式として、不要時に取っ手を掴んで掃除機本体から容易に外し、掃除機本体の重量減を実現することが出来る。
【００１５】
また、その取っ手が電源プラグの保護壁を兼ね備える位置に配置されているので、収納時には電源プラグを保護し、電源コードの巻き取り時には、電源プラグが暴れて掃除機本体を破損したり、使用者が怪我などしないように、電源コードを誘導する保護壁の作用や使い勝手を維持したまま、従来の電気掃除機と比較しても、特に大型化することなく省スペースで、着脱式の電源コードリールを備えた電気掃除機を提供できる。
【００１６】
また引出し着脱式なので、引出し方向以外は掃除機本体に囲まれており、電気掃除機特有の掃除引回しによる振動や、外的衝撃があっても、電源コードリール内の電気接点の接触が安定して確保され、露出部が少なく、色々なデザインにも対応しやすい。
【００１７】
また、電源コードリールの引き出し方向が、電源コードの引っ張り方向に対して前方に傾斜しているので、電源コードを引っ張っても、引き出し方向と平行な面が力を受け、局部的集中荷重を回避することができる。
【００１８】
第２の発明は、特に、第１の発明の電源コードリールの引出し方向に、平行なフラット面を設けたもので、電源コードを強く引っ張っても、フラット面で力を受けるので、より確実に局部的集中荷重を回避できる。
【００１９】
第３の発明は、特に、第１又は第２の発明の電源コードリールを掃除機本体に装着した状態で、取っ手を電源プラグの近傍の前記掃除機本体の外側になるよう配置したもので、使用者が電気掃除機の傍より、容易に掴みやすい配置になるので、約１ｋｇ程度となる電源コードリールを着脱する動作の負荷も少ない。なお且つ保護壁としても、外因からのプラグの保護にも適し、電源コードの巻き取り時の電源コードの暴れを抑え、掃除機本体の傍より解除ボタンを押している使用者の保護にも適した配置といえる。
【００２０】
以下、本発明の実施の形態について、図面を参照しながら説明する。なお、この実施の形態によって本発明が限定されるものではない。
【００２１】
（実施の形態１）
図１は、本発明の実施の形態１における電気掃除機の全体斜視図、図２は、同電気掃除機の後方からの主要部斜視図、図３は、同電気掃除機の着脱式の電源コードリールの後方からの斜視図、図４は、同電源コードリールの部分断面図である。
【００２２】
図１〜４において、本実施の形態における電気掃除機は、掃除機本体１と、掃除機本体１に接続されるホース２と、ホース２に接続される延長管３と、延長管３の先端に設けられ塵埃を吸引する開口部（図示せず）を有する吸込具４からなり、掃除機本体１には、塵埃を吸引するための電動送風機５と、それらに電源を供給し掃除機本体１に斜め後方より引出し可能な着脱自在の電源コードリール７が内蔵され、塵埃を集塵するダストボックス６が装着されている。
【００２３】
ここで電源コードリール７の引出し方向の面には、引出すときにつかむ取っ手８と電源プラグ９を設け、引き出し方向は、電源コード１０の引っ張り方向（水平）方向に対し、１５〜９０度の範囲で前方に傾斜しており、引き出し面は、上下とも引き出し方向と平行なフラット面１１で構成されている。
【００２４】
取っ手８は、電源コード１０を巻き取った状態での電源プラグ９横の掃除機本体１の外側の位置に、電源プラグ９の刃先より突出して設けている。電源コード１０の全長は、約５ｍで、一端がドラム１２に固定され、電源プラグ９のみ露出して残してドラム１２に巻かれて内部に収納されている。
【００２５】
ドラム１２は、動力源となるゼンマイバネ１３の復元力で回転するが、通常は、電源コード１０の表面をストッパー１４が留めている。ストッパー１４は、解除ボタン１５を押すことで、電源コード１０の表面から離れるようになっている。
【００２６】
以上のように構成された本実施の形態における電気掃除機について、以下その動作、作用を説明する。
【００２７】
電気掃除機を動作させると、電動送風機５が作動して負圧を発生させて、電動送風機５と連通する吸込具４から吸い込まれる塵埃の混じった空気は、延長管３、ホース２を経て、掃除機本体１のダストボックス６に吸い込まれる。
【００２８】
掃除が終わり、使用者が解除ボタン１５を押すと、ストッパー１４は電源コード１０の表面から離れ、ゼンマイバネ１３の復元力が作動してドラム１２が回転し、電源コード１０が巻き取られる。
【００２９】
このとき、電源コード１０は、掃除機本体１の外側に設けた取っ手８にガイドされるように巻き取られ、電源プラグ９が暴れて掃除機本体１を破損したり、解除ボタン１５を押している使用者が怪我などするのを防止している。また取っ手８は、電源プラグ９の刃先より突出しており、巻き取り状態でも露出している電源プラグ９やその刃先が、外傷を受けないように保護している。
【００３０】
また、掃除機本体１の移動時などには、取っ手８を掴んで、掃除機本体１の斜め後方に引出して、電源コードリール７を取り外して、総重量を軽減することも出来る。
【００３１】
更に、電源コードリール７は着脱式であるので、様々な長さの電源コード１０の電源コードリール７を合わせて販売することで、使用者は掃除範囲の広さに合った最適な長さの電源コード１０を選択でき、不要に重い電気掃除機を使用することもない、といった提案も可能となる。
【００３２】
その上、この構成を採用すれば、例えば、一戸建て住宅などでは、１階、２階など、階毎にそれぞれの広さに応じた長さの別々の電源コードリール７を準備すれば、階間の移動は、電源コードリール７を除いた掃除機本体１の移動のみで可能となる上に、掃除範囲に適した長さの電源コード１０で掃除でき、不要に長い電源コード１０を扱う必要もない。
【００３３】
また、電気掃除機を交流と直流の双方で動作可能な仕様とし、本実施の形態における着脱式の電源コードリール７の構成を利用して、図５に示すように、電源コードリール７の代わりに電池パック１６を装着可能とすることにより、電源コードリール７の装着時は交流式、電池パック１６の装着時は直流式のコードレス掃除機として使用できる、交流・直流の電気掃除機を、一般的な交流の電気掃除機と同じ使い勝手を維持したまま提供できる。
【００３４】
なお、図６のように、取っ手８の配置は実施例１と同じであるが、電源コードリール７は必ずしも着脱式とせず、電源コードリール７には電源コード１０が２本存在し、一端を掃除機本体１に、一端を電気コンセントに接続する構成とし、掃除機本体１と切り離して使用可能とした場合でも、電源コードリール７の持ち運び性と、保護壁２０の兼用という効率のよい構成の効果は、上記実施例１と同様であることは言うまでもない。
【００３５】
合わせて掃除機本体１と切り離すことで、電源コード１０の外径のアップやコード長の増加などを実施しても、掃除機本体１の重量増とはならず、使い勝手が悪化することはない。よって、電気掃除機の容積や重量を、低騒音化などの他の機能の充実に展開することが可能となる。
【産業上の利用可能性】
【００３６】
以上のように、本発明に係る電気掃除機は、着脱式として、不要時に取っ手を持って掃除機本体から容易に外せ、掃除機本体の重量減を実現できる上に、装着時の電源コードの使い勝手を維持したまま、容積や重量増を抑えた電気掃除機を提供できるもので、電気掃除機以外でも同様の電源コードリールを搭載した電気機器にも応用できる。
【００３７】
また、本構成を採用することによって、実施の形態に記載されたような新たな電気掃除機の提案も可能となる。
【符号の説明】
【００３８】
１  掃除機本体
５  電動送風機
７  電源コードリール
８  取っ手
９  電源プラグ
１０  電源コード
１１  フラット面
１３  ゼンマイバネ（動力源）
２０  保護壁
【図１】
2014100275.tif 000003
【図２】
2014100275.tif 000004
【図３】
2014100275.tif 000005
【図４】
2014100275.tif 000006
【図５】
2014100275.tif 000007
【図６】
2014100275.tif 000008
【図７】
2014100275.tif 000009